(57)【要約】【課題】簡単容易、正確安定に取り付け組み立てることができる揺動スイッチおよびその構成部材を提供する。【解決手段】ボックス２の底壁に形成される固定接片挿通スリット２７に固定接片４を挿通して固定接片カシメ付け片４２１を拡開段部２７１にカシメ付けると共に可動接片支持部材挿通スリット２８に可動接片支持部材５を挿通して可動接片支持部材カシメ付け片５１１を拡開段部２８１にカシメ付け、可動接片支点本体５２に屈曲形成される可動接片支持突条部５２３に可動接点担持片３２の両側部に形成される切り欠き３２１を左右両案内突起５２４を介して可動接片３を載置し、可動接片支持突条部５２３に傾斜面５２２を形成し、ボックス２の対向する側壁に形成される１対の軸孔２５に押しボタン１の支軸部１１を嵌挿し、押しボタン１をボックス２に軸支させた揺動スイッチ。【選択図】  図１
2004235005.tif 000002
【特許請求の範囲】
【請求項１】
剛性の大なる金属細長片をコ字状に屈曲して、引き出し端子部、引き出し端子部から屈曲形成された固定接点固定部、固定接点固定部から屈曲形成された垂下部片を形成し、
固定接点は固定接点固定部に取り付け固定され、
引き出し端子部にはその中間部の僅か上方の左右両縁に固定接片カシメ付け片を突出形成したことを特徴とする揺動スイッチ用固定接片。
【請求項２】
剛性の大なる金属細長片を原材料として形成された引き出し端子部、引き出し端子部から屈曲形成された可動接片支点本体、可動接片支点本体から引き出し端子部と同じ向きに屈曲形成された垂下部片を有し、
引き出し端子部にはその中間部の僅か上方の左右両縁に可動接片支持部材カシメ付け片が突出形成されており、
可動接片支点本体はその一方の端部において引き出し端子部と逆向きに屈曲形成された支持部が構成されて、傾斜面を削除形成した可動接片支持突条部および左右端部に案内突起を形成したことを特徴とする揺動スイッチ用可動接片支持部材。
【請求項３】
請求項２に記載される揺動スイッチ用可動接片支持部材において、
可動接片支持突条部を鋭角のエッジに形成したものであることを特徴とする揺動スイッチ用可動接片支持部材。
【請求項４】
請求項２に記載される揺動スイッチ用可動接片支持部材において、
支持部を可動接片支点本体の両側部において上向きに切り起こし形成したものであることを特徴とする揺動スイッチ用可動接片支持部材。
【請求項５】
ボックスの底壁に形成される固定接片挿通スリットに固定接片を挿通して固定接片カシメ付け片を拡開段部にカシメ付けると共に、同様に底壁に形成される可動接片支持部材挿通スリットに可動接片支持部材を挿通して可動接片支持部材カシメ付け片を拡開段部にカシメ付け、
ボックスに取り付けられた可動接片支持部材の可動接片支点本体に屈曲形成される支持部の可動接片支持突条部に可動接片の可動接点担持片の両側部に形成される切り欠きを左右両案内突起を介して可動接片を載置し、
可動接片支持突条部に傾斜面を削除形成し、
ボックスの対向する側壁に形成される１対の軸孔に押しボタンの支軸部を嵌挿し、押しボタンをボックスに軸支させたことを特徴とする揺動スイッチ。
【発明の詳細な説明】
【０００１】
【産業上の利用分野】
この発明は、揺動スイッチおよびその構成部材に関し、特に、簡単容易、正確安定に取り付け組み立てることができる揺動スイッチおよびその構成部材に関する。
【０００２】
【従来の技術】
揺動スイッチの如きスイッチは、一般に、ボックス内にスイッチ構成部材を収容し、スイッチ構成部材の内の固定接片の引き出し端子部を底壁に形成される挿通スリットにボックス内側から挿通固定すると共に、可動接片支持部材の引き出し端子部を同様に底壁に形成される挿通スリットにボックス内側から挿通固定する。これらの引き出し端子部のボックスに対する組み込み固定は、引き出し端子部が挿通スリットから外部に出たところの側部の一部をカシメ刃により切り込んでカシメを形成して行われてる。即ち、引き出し端子部の側部の一部を切り込んで切り込んだ部分を引き出し端子部から切り離すことなしに屈曲してボックス底部の挿通スリット近傍にカシメ付けて、引き出し端子部がボックス内側に押し込まれることを阻止している。
ところで、揺動スイッチの引き出し端子部に関する従来例としは、各種のものが知られている（特許文献１、２、３  参照）。
【０００３】
【特許文献１】
特開平０８−０５５５４２号公報
【特許文献２】
特開平１０−０４０７７８号公報
【特許文献３】
特開２００１−０３５３１７公報
【０００４】
【発明が解決しようとする課題】
ここで、以上の固定接片および可動接片支持部材の引き出し端子部のボックスに対する組み込み固定は簡単容易とは言い難い。そして、リード線を接続したタブを引き出し端子部に押し込み嵌合固定するに際して、引き出し端子部がボックス内に押し込まれて陥没する問題がしばしば発生する。これは、カシメ刃の刃こぼれによるカシメの強度不足が発生することおよびカシメ刃による切り込み作業が容易ではないことに起因して、適正なカシメ付けがなされないことによる。また、可動接片支持部材には可動接片が組み込まれるのであるが、この組み込みを容易にすると共に可動接片支持部材と可動接片との間の電気機械的接触も良好にする可動接片支持部材を開発することも要請されている。
ここで、この発明は、簡単容易で、正確安定に取り付け組み立てをすることができる以上の要請に応える揺動スイッチおよびその構成部材を提供するものである。
【０００５】
【課題を解決するための手段】
請求項１：剛性の大なる金属細長片をコ字状に屈曲して引き出し端子部４２、引き出し端子部４２から屈曲形成された固定接点固定部４３、固定接点固定部４３から屈曲形成された垂下部片４４を形成し、固定接点４１は固定接点固定部４３に取り付け固定され、引き出し端子部４２にはその中間部の僅か上方の左右両縁に固定接片カシメ付け片４２１を突出形成した揺動スイッチ用固定接片を構成した。
そして、請求項２：剛性の大なる金属細長片を原材料として形成された引き出し端子部５１、引き出し端子部５１から屈曲形成された可動接片支点本体５２、可動接片支点本体５２から引き出し端子部５１と同じ向きに屈曲形成された垂下部片５３を有し、引き出し端子部５１にはその中間部の僅か上方の左右両縁に可動接片支持部材カシメ付け片５１１が突出形成されており、可動接片支点本体５２はその一方の端部において引き出し端子部５１と逆向きに屈曲形成された支持部５２１が構成され、支持部５２１の上端を切り欠いて、傾斜面５２２を削除形成した可動接片支持突条部５２３および左右端部に案内突起５２４を残存形成した揺動スイッチ用可動接片支持部材を構成した。
【０００６】
また、請求項３：請求項２に記載される揺動スイッチ用可動接片支持部材において、可動接片支持突条部５２３を鋭角のエッジに形成したものである揺動スイッチ用可動接片支持部材を構成した。
更に、請求項４：請求項２に記載される揺動スイッチ用可動接片支持部材において、支持部５２１を可動接片支点本体５２の両側部において上向きに切り起こし形成したものである揺動スイッチ用可動接片支持部材を構成した。
そして、請求項５：ボックス２の底壁に形成される固定接片挿通スリット２７に固定接片４を挿通して固定接片カシメ付け片４２１を拡開段部２７１にカシメ付けると共に、同様に底壁に形成される可動接片支持部材挿通スリット２８に可動接片支持部材５を挿通して可動接片支持部材カシメ付け片５１１を拡開段部２８１にカシメ付け、ボックス２に取り付けられた可動接片支持部材５の可動接片支点本体５２に屈曲形成される支持部５２１の可動接片支持突条部５２３に可動接片３の可動接点担持片３２の両側部に形成される切り欠き３２１を左右両案内突起５２４を介して可動接片３を載置し、支持部５２１の上端を切り欠いて傾斜面５２２を削除形成して可動接片支持突条部５２３を形成し、ボックス２の対向する側壁に形成される１対の軸孔２５に押しボタン１の支軸部１１を嵌挿し、押しボタン１をボックス２に軸支させた揺動スイッチを構成した。
【０００７】
【発明の実施の形態】
この発明の実施の形態を図を参照して説明する。
図１は押しボタンを説明する図である。図１（ａ）は押しボタンを上から視たところを示す図、図１（ｂ）は図１（ａ）の押しボタンを揺動軸方向から視たところを示す図、図１（ｃ）は図１（ａ）の押しボタンを揺動軸方向と直交する方向から視たところを示す図である。図２は図１の続きであり、図２（ｄ）は押しボタンを下から視たところを示す図、図２（ｅ）は図２（ｄ）の線ｅ−ｅ’に沿った断面を示す図である。
図１および図２において、１は押しボタン全体を示す。押しボタン１の互に対向する両側壁外面には一直線上に整列して１対の支軸部１１が外方に突出形成されている。そして、これら両側壁内面の支軸部１１近傍には可動接片操作部１２が内方に突出、垂下形成されている。１２１は揺動スイッチ組み立て時に押しボタン１の組み込みに必要とされる分離領域である。左右の可動接片操作部１２は中間において押しボタン１の頂部下面から垂下形成される連結壁１３を介して相互に接続している。
【０００８】
図３はスイッチのボックスを説明する図である。図３（ａ）はボックスを上から視たところを示す図、図３（ｂ）はボックスを側方から視たところを示す図、図３（ｃ）はボックスの側方を図３（ｂ）と直角の方から視たところを示す図、図３（ｄ）はボックスを下から視たところを示す図である。図４は図３の続きを示す。図４（ｅ）はボックスを上から視た図、図４（ｆ）は図４（ｅ）における線ｆ−ｆ’に沿った上下方向断面を示す図、図４（ｇ）は図４（ｅ）における線ｇ−ｇ’に沿った上下方向断面を示す図、図４（ｈ）は図４（ｅ）における線ｈ−ｈ’に沿った上下方向断面を示す図である。
図３および図４において、２はスイッチのボックス全体を示す。２１はボックス２の互いに対向する一方の側壁の間に亘って他方の側壁に平行に形成された押しボタン係合壁であり、２１１は押しボタン係合壁の上端中間部に形成された可動接片操作部係合部を示す。２２はボックス２の上枠部、２３は互いに対向する一方の側壁外側上部に形成されたバネ取り付け部、２４はバネ取り付け部２３に係止される取り付けバネ、２５は対向する側壁に形成される１対の軸孔であり、押しボタン１の支軸部１１が嵌挿されて押しボタン１がボックス２に軸支されるに到る。２６はボックス２の底壁に形成される突条である。２７は底壁に形成される固定接片挿通スリット、２８は同様に底壁に形成される可動接片支持部材挿通スリットである。図３（ｄ）において、固定接片挿通スリット２７の外側の両側部には後で説明される固定接片４の固定接片カシメ付け片４２１がカシメつけられる拡開段部２７１が形成されている。同様に、２８の外側の両側部には後で説明される可動接片支持部材５の可動接片支持部材カシメ付け片５１１がカシメつけられる拡開段部２８１が形成されている。
【０００９】
図５は可動接片を説明する図である。図５（ａ）は可動接片を正面から視た図であり、図５（ｂ）は可動接片を側方から視た図であり、図５（ｃ）は可動接片を後方から視た図であり、図５（ｄ）は図（ｂ）を下から視た図である。
図５において、３は可動接片の全体を示す。可動接片３は燐青銅の如きバネ性を有するバネ材の細長片をＵ字状に折り返して形成される。３１は可動接点である。３２は先端部に可動接点３１を取り付け固定した可動接点担持片である。可動接点担持片３２は中間部の両側部に切り欠き３２１が形成されている。３３は可動接点担持片３２からＵ字状に折り返し形成された操作部案内片である。操作部案内片３３は変曲部３３１において、外向きに極く僅かに屈曲せしめられている。
【００１０】
図６は固定接片を説明する図であり、図６（ａ）は固定接片を上から視た図、図６（ｂ）は固定接片を側方から視た図、そして図６（ｃ）は図６（ｂ）における線ｃ−ｃ’に沿った断面を示す図である。
図６において、４は固定接片の全体を示す。固定接片４は厚さを厚くして剛性の大なる金属細長片をコ字状に屈曲して、引き出し端子部４２、引き出し端子部４２から屈曲形成された固定接点固定部４３、固定接点固定部４３から屈曲形成された垂下部片４４より成る。４１により示される固定接点は固定接点固定部４３に取り付け固定されている。引き出し端子部４２にはその中間部の僅か上方の左右両縁に固定接片カシメ付け片４２１が突出形成されている。
【００１１】
図７は可動接片支持部材を説明する図であり、図７（ａ）は可動接片支持部材を上から視た図、図７（ｂ）は可動接片支持部材を側方から視た図、図７（ｃ）は図７（ｂ）における線ｃ−ｃ’に沿った断面を示す図である。
図７において、５は可動接片支持部材の全体を示す。可動接片支持部材５も、厚さを厚くして剛性の大なる金属細長片を原材料とし、これに金属加工を施して形成された引き出し端子部５１、引き出し端子部５１から屈曲形成された可動接片支点本体５２、可動接片支点本体５２から引き出し端子部５１と同じ向きに屈曲形成された垂下部片５３より成る。引き出し端子部５１にはその中間部の僅か上方の左右両縁に可動接片支持部材カシメ付け片５１１が突出形成されている。可動接片支点本体５２はその一方の端部において引き出し端子部５１と逆向きに屈曲形成された支持部５２１を構成している。支持部５２１の上端に水平の切り欠き５２０を形成し、可動接片３が載置された暁において可動接点３１が突出する側に傾斜面５２２を削除形成して可動接片支持突条部５２３を形成すると共に左右端部に案内突起５２４を残存形成する。
【００１２】
揺動スイッチの組み立て順序を簡単に説明する。揺動スイッチのボックス２の底壁に形成される固定接片挿通スリット２７に固定接片４を挿通して固定接片カシメ付け片４２１を拡開段部２７１にカシメ付けると共に、同様に底壁に形成される可動接片支持部材挿通スリット２８に可動接片支持部材５を挿通して可動接片支持部材カシメ付け片５１１を拡開段部２８１にカシメ付ける。以上の通りにして、固定接片４および可動接片支持部材５をボックス２に対して簡単容易、正確安定に取り付け組み立てることができる。次いで、ボックス２に取り付けられた可動接片支持部材５の可動接片支点本体５２に屈曲形成される支持部５２１の可動接片支持突条部５２３に可動接片３の可動接点担持片３２の両側部に形成される切り欠き３２１を左右両案内突起５２４を介して可動接片３を載置し、可動接片３を可動接片支持部材５の可動接片支持突条部５２３に電気機械的に接触せしめる。支持部５２１の上端に水平の切り欠き５２０を形成し、可動接片３が載置された暁において可動接点３１が突出する側に傾斜面５２２を削除形成して可動接片支持突条部５２３を形成することにより傾斜面５２２は可動接片３の下面に対して可動接片３の動作に支障となることはなく急速クリック反転を確保し、接点の解放遮断時に生起するアークを短時間で消弧する。案内突起５２４は上端部に傾斜を付与することにより、可動接片支持突条部５２３に対する可動接片３の組込みを容易にしている。最後に、ボックス２の対向する側壁に形成される１対の軸孔２５に押しボタン１の支軸部１１を嵌挿し、押しボタン１をボックス２に軸支させる。
以上の通りにして、揺動スイッチの組み立ては極く簡単に実施することができる。
【００１３】
図８は組み立てられた揺動スイッチの動作を説明する図である。図８（ａ）は揺動軸に直交する方向の縦方向断面を示す図、図８（ｂ）は揺動軸方向に沿った縦方向の断面を可動接片支持部材５側から視た図であり、揺動スイッチのオフ状態を示している。図９は図８の続きであるり、図９（ｃ）は揺動軸方向に沿った縦方向の断面を固定接片４側から視た図、図９（ｄ）は揺動軸に直交する方向の縦方向断面を示す図であり、揺動スイッチのオン状態を示している。
図１０は可動接片支持部材の他の実施例を説明する図である。図１０（ａ）を参照するに、この可動接片支持部材５は図７の可動接片支持部材５において可動接片支持突条部５２３を鋭角のエッジに形成したものに相当する。可動接片３の可動接点担持片３２の両側部に形成される切り欠き３２１に可動接片支持部材５の支持部５２１の両側部に形成される案内突起５２４が進入係合した状態で、可動接片３の可動接点担持片３２の下面を可動接片支持部材５の支持部５２１の鋭角のエッジとされた可動接片支持エッジ部５２３に係合接触せしめることにより、可動接片３の可動接片支持部材５に対する電気的接触は安定する。
【００１４】
図１０（ｂ）を参照するに、これは図７において支持部５２１を可動接片支点本体５２の両側部において上向きに切り起こし形成したものに相当する。支持部５２１’の上端部に切り欠いてき支点部５２３’を形成すると共に、左右端部に案内突起５２４’を残存形成する。図１０（ｂ）（ロ）の可動接片支持部材５に組み合せ使用される可動接片３の可動接点担持片３２の両側部には、突出接触片３２２を形成する。可動接片３の可動接点担持片３２の両側部に形成される突出接触片３２２を、可動接片支点本体５２の両側部に切り越し形成される支持部５２１’の案内突起５２４’間に進入して、可動接片３の可動接片支持部材５に対する電気的接触は、突出接触片３２２下面が支持部５の支点部５２３’に対して２点で行われることにより安定する。
【００１５】
【発明の効果】
上述した通りであって、この発明は、ボックス２の底壁に形成される固定接片挿通スリット２７に固定接片４を挿通して固定接片カシメ付け片４２１を拡開段部２７１にカシメ付けると共に、同様に底壁に形成される可動接片支持部材挿通スリット２８に可動接片支持部材５を挿通して可動接片支持部材カシメ付け片５１１を拡開段部２８１にカシメ付ける構成を採用することにより、簡単容易、正確安定に取り付け組み立てることができる安定した端子固定強度の揺動スイッチが得られる。
【００１６】
そして、可動接片自体をバネ材により形成すると共に可動接片支持突条部５２３に傾斜面５２２を削除形成した、可動接片を急速反転させる構成を採用している。可動接片を急速反転させるスイッチ接触遮断時に可動接片と固定接点との間に発生するアークを消弧する時間を小さくすることができる。
また、可動接片支持部材の両側ガイド部の先端に傾斜を付与すれば組み立てを更に容易にする。
【図面の簡単な説明】
【図１】押しボタンを説明する図。
【図２】図１の続き。
【図３】ボックスを説明する図。
【図４】図３の続き。
【図５】可動接片を説明する図。
【図６】固定接片を説明する図。
【図７】可動接片支持部材を説明する図。
【図８】揺動スイッチの動作を説明する図。
【図９】図８の続き。
【図１０】可動接片支持部材の他の実施例を説明する図。
【符号の説明】
１  押しボタン                        １１  支軸部
２  ボックス                          ２５  軸孔
２７  固定接片挿通スリット            ２７１  拡開段部
２８  可動接片支持部材挿通スリット    ２８１  拡開段部
３  可動接片                          ３２  可動接点担持片
３２１  切り欠き                            ４  固定接片
４２１  固定接片カシメ付け片                ５  可動接片支持部材
５１１  可動接片支持部材カシメ付け片      ５２  可動接片支点本体
５２２  傾斜面                          ５２３  可動接片支持突条部
５２４  案内突起
【図１】
2004235005.tif 000003
【図２】
2004235005.tif 000004
【図３】
2004235005.tif 000005
【図４】
2004235005.tif 000006
【図５】
2004235005.tif 000007
【図６】
2004235005.tif 000008
【図７】
2004235005.tif 000009
【図８】
2004235005.tif 000010
【図９】
2004235005.tif 000011
【図１０】
2004235005.tif 000012